(57)【要約】【課題】物品管理装置について、コスト高を招くことなく、収納部に収納された物品について厳密に管理可能にする。【解決手段】物品管理装置１は、複数の収納部１０に収納された物品について、当該物品に付されたＩＣタグ５０に記録されたデータを読み取り可能なＩＣタグリーダ１２を備える。記憶部７０は、複数の収納部１０に収納された物品について、物品に付されたＩＣタグ５０の情報を収納部と対応づけて登録する物品管理テーブル７１を格納する。制御部６０は、収納部１０に収納された物品に付されたＩＣタグ５０に記録されたデータをＩＣタグリーダ１２によって読み取り、読み取り結果を物品管理テーブル７１と照合する。【選択図】図３
2020007758.tif 000002
【特許請求の範囲】
【請求項１】
物品管理装置であって、
複数の収納部と、
前記複数の収納部にそれぞれ設けられ、信号によって施錠／解錠が制御可能なロック部と、
前記複数の収納部に収納された物品について、当該物品に付されたＩＣタグに記録されたデータを読み取り可能なＩＣタグリーダと、
前記ＩＣタグリーダの動作、および、前記ロック部の施錠／解錠を含む、前記物品管理装置の動作を制御する制御部と、
前記複数の収納部に収納された物品について、当該物品に付されたＩＣタグの情報を当該収納部と対応づけて登録する物品管理テーブルを格納する記憶部とを備え、
前記制御部は、
前記収納部に収納された物品に付されたＩＣタグに記録されたデータを前記ＩＣタグリーダによって読み取り、読み取り結果を、前記物品管理テーブルと照合する、照合処理を行う
ことを特徴とする物品管理装置。
【請求項２】
請求項１記載の物品管理装置において、
前記制御部は、
前記照合処理の結果、読み取り結果が前記物品管理テーブルと一致したとき、当該収納部に設けられた前記ロック部を、施錠する、または、施錠状態に維持する
ことを特徴とする物品管理装置。
【請求項３】
請求項１記載の物品管理装置において、
前記制御部は、
前記照合処理の結果、読み取り結果が前記物品管理テーブルと一致しないとき、当該収納部に設けられた前記ロック部を、解錠する、または、解錠状態に維持する
ことを特徴とする物品管理装置。
【請求項４】
請求項３記載の物品管理装置において、
前記制御部は、
前記照合処理の結果、読み取り結果が前記物品管理テーブルと一致しないとき、一致しない旨を、出力手段を介して、前記物品管理装置の外部に出力する
ことを特徴とする物品管理装置。
【請求項５】
請求項１記載の物品管理装置において、
前記制御部は、
前記照合処理を前記複数の収納部についてそれぞれ行う、精査処理を実行する
ことを特徴とする物品管理装置。
【請求項６】
請求項５記載の物品管理装置において、
前記制御部は、
前記精査処理の結果、読み取り結果が前記物品管理テーブルと一致しない前記収納部があるとき、当該収納部を示すデータを、出力手段を介して、前記物品管理装置の外部に出力する
ことを特徴とする物品管理装置。
【請求項７】
物品管理装置であって、
複数の収納部と、
前記複数の収納部にそれぞれ設けられ、信号によって施錠／解錠が制御可能なロック部と、
前記複数の収納部に収納された物品について、当該物品に付されたＩＣタグに記録されたデータを読み取り可能なＩＣタグリーダと、
前記ＩＣタグリーダの動作、および、前記ロック部の施錠／解錠を含む、前記物品管理装置の動作を制御する制御部とを備え、
前記制御部は、
前記ロック部が施錠状態である前記収納部に収納された物品について、当該物品に付されたＩＣタグに記録されたデータを前記ＩＣタグリーダによって読み取る、読み取り処理を行う
ことを特徴とする物品管理装置。
【請求項８】
請求項７記載の物品管理装置において、
前記制御部は、
前記読み取り処理を前記複数の収納部についてそれぞれ行う、精査処理を実行する
ことを特徴とする物品管理装置。
【請求項９】
物品管理装置と、前記物品管理装置と通信可能である管理コンピュータとを備えた物品管理システムであって、
前記物品管理装置は、
複数の収納部と、
前記複数の収納部にそれぞれ設けられ、信号によって施錠／解錠が制御可能なロック部と、
前記複数の収納部に収納された物品について、当該物品に付されたＩＣタグに記録されたデータを読み取り可能なＩＣタグリーダと、
前記ＩＣタグリーダの動作、および、前記ロック部の施錠／解錠を含む、前記物品管理装置の動作を制御する制御部とを備え、
前記制御部は、
前記収納部に収納された物品に付されたＩＣタグに記録されたデータを前記ＩＣタグリーダによって読み取り、読み取り結果を、前記管理コンピュータに送信し、
前記管理コンピュータは、
前記複数の収納部に収納された物品について、当該物品に付されたＩＣタグの情報を当該収納部と対応づけて登録する物品管理テーブルを格納する記憶部を備え、
前記物品管理装置から受信した読み取り結果を、前記物品管理テーブルと照合する
ことを特徴とする物品管理システム。
【請求項１０】
物品管理装置において、物品を管理する方法であって、
前記物品管理装置は、
複数の収納部と、
前記複数の収納部にそれぞれ設けられ、信号によって施錠／解錠が制御可能なロック部と、
前記複数の収納部に収納された物品について、当該物品に付されたＩＣタグに記録されたデータを読み取り可能なＩＣタグリーダとを備えたものであり、
前記収納部に収納された物品に付されたＩＣタグに記録されたデータを、前記ＩＣタグリーダによって読み取り、
読み取り結果を、前記複数の収納部に収納された物品について、当該物品に付されたＩＣタグの情報を当該収納部と対応づけて登録する物品管理テーブルと、照合する
ことを特徴とする物品管理方法。
【発明の詳細な説明】
【技術分野】
【０００１】
ここに開示する技術は、収納部に収納された物品の出し入れや在庫状況を管理する物品管理装置に関するものである。
【背景技術】
【０００２】
特許文献１には、貸与する物品の管理を厳正に行うことができる物品保管装置が開示されている。この物品保管装置は、物品に添付されているバーコードを読み取るバーコードリーダを備える。利用者が、物品を収納庫に入庫する際に、物品に付されたバーコードをバーコードリーダに読み取らせると、制御部は、当該物品と対応する収納庫の施錠装置を解錠する。また、この物品保管装置は、物品用撮像部を備え、物品用撮像部によって物品を予め撮像した画像データを記憶部に記憶する。各収納庫には、入庫された物品の形状および色彩を検知するフォトセンサが設けられており、物品が返却されたとき、フォトセンサにより検知した物品の形状及び色彩と、予め記憶部に記憶しておいた物品画像データとを照合する。
【先行技術文献】
【特許文献】
【０００３】
【特許文献１】特開２０１０−１１２０９１号公報
【発明の概要】
【発明が解決しようとする課題】
【０００４】
ところが、特許文献１の物品保管装置では、物品を収納庫に入庫する前にバーコードの読み取りを行うため、当該物品が、対応する収納庫に正しく入庫されたことを確認することが困難である。また、物品画像データを用いて照合を行うために、画像登録用の物品用撮像部や、収納庫に入庫された物品の形状および色彩を検知するフォトセンサを設置する必要があり、装置のコストが高くなる。また、利用者にとっては、物品画像データの登録操作が面倒である。さらに、物品画像データを用いた場合には、外観が類似している物品であれば判別が困難であるし、判別精度は収納庫内の物品の置き方にも依存する。
【０００５】
ここに開示する技術は、かかる点に鑑みてなされたものであり、その目的とするところは、物品管理装置について、コスト高を招くことなく、収納部に収納された物品について厳密に管理可能にすることにある。
【課題を解決するための手段】
【０００６】
ここに開示する技術は、物品管理装置であって、複数の収納部と、前記複数の収納部にそれぞれ設けられ、信号によって施錠／解錠が制御可能なロック部と、前記複数の収納部に収納された物品について、当該物品に付されたＩＣタグに記録されたデータを読み取り可能なＩＣタグリーダと、前記ＩＣタグリーダの動作、および、前記ロック部の施錠／解錠を含む、前記物品管理装置の動作を制御する制御部と、前記複数の収納部に収納された物品について、当該物品に付されたＩＣタグの情報を当該収納部と対応づけて登録する物品管理テーブルを格納する記憶部とを備え、前記制御部は、前記収納部に収納された物品に付されたＩＣタグに記録されたデータを前記ＩＣタグリーダによって読み取り、読み取り結果を、前記物品管理テーブルと照合する、照合処理を行う。
【０００７】
この構成によると、物品管理装置は、複数の収納部に収納された物品について、当該物品に付されたＩＣタグに記録されたデータを読み取り可能なＩＣタグリーダを備える。記憶部は、複数の収納部に収納された物品について、当該物品に付されたＩＣタグの情報を当該収納部と対応づけて登録する物品管理テーブルを格納する。制御部は、照合処理において、収納部に収納された物品に付されたＩＣタグに記録されたデータをＩＣタグリーダによって読み取り、読み取り結果を物品管理テーブルと照合する。これにより、物品が、対応する収納部に正しく収納されていることを、容易にかつ確実に、確認することができる。
【０００８】
また、上の物品管理装置において、前記制御部は、前記照合処理の結果、読み取り結果が前記物品管理テーブルと一致したとき、当該収納部に設けられた前記ロック部を、施錠する、または、施錠状態に維持する、としてもよい。
【０００９】
これにより、収納部に、対応する物品が正しく収納されている場合には、当該収納部は施錠された状態になる。
【００１０】
また、上の物品管理装置において、前記制御部は、前記照合処理の結果、読み取り結果が前記物品管理テーブルと一致しないとき、当該収納部に設けられた前記ロック部を、解錠する、または、解錠状態に維持する、としてもよい。
【００１１】
これにより、収納部に、対応する物品とは異なる物品が収納されている場合には、当該収納部は解錠された状態になる。
【００１２】
さらに、前記制御部は、前記照合処理の結果、読み取り結果が前記物品管理テーブルと一致しないとき、一致しない旨を、出力手段を介して、前記物品管理装置の外部に出力する、としてもよい。
【００１３】
これにより、収納部に、対応する物品とは異なる物品が収納されている場合には、その旨を、利用者が認識することができる。
【００１４】
また、上の物品管理装置において、前記制御部は、前記照合処理を前記複数の収納部についてそれぞれ行う、精査処理を実行する、としてもよい。
【００１５】
これにより、複数の収納部について、対応する物品が正しく収納されているか否かを、容易にかつ確実に、確認することができる。
【００１６】
さらに、前記制御部は、前記精査処理の結果、読み取り結果が前記物品管理テーブルと一致しない前記収納部があるとき、当該収納部を示すデータを、出力手段を介して、前記物品管理装置の外部に出力する、としてもよい。
【００１７】
これにより、対応する物品とは異なる物品が収納されている収納部がある場合には、その旨を、利用者が認識することができる。
【００１８】
また、ここに開示する技術は、物品管理装置であって、複数の収納部と、前記複数の収納部にそれぞれ設けられ、信号によって施錠／解錠が制御可能なロック部と、前記複数の収納部に収納された物品について、当該物品に付されたＩＣタグに記録されたデータを読み取り可能なＩＣタグリーダと、前記ＩＣタグリーダの動作、および、前記ロック部の施錠／解錠を含む、前記物品管理装置の動作を制御する制御部とを備え、前記制御部は、前記ロック部が施錠状態である前記収納部に収納された物品について、当該物品に付されたＩＣタグに記録されたデータを前記ＩＣタグリーダによって読み取る、読み取り処理を行う。
【００１９】
この構成によると、物品管理装置は、複数の収納部に収納された物品について、当該物品に付されたＩＣタグに記録されたデータを読み取り可能なＩＣタグリーダを備える。制御部は、読み取り処理において、ロック部が施錠状態である収納部に収納された物品について、当該物品に付されたＩＣタグに記録されたデータをＩＣタグリーダによって読み取る。これにより、物品が、対応する収納部に正しく収納されていることを、容易にかつ確実に、確認することができる。
【００２０】
また、上の物品管理装置において、前記制御部は、前記読み取り処理を前記複数の収納部についてそれぞれ行う、精査処理を実行する、としてもよい。
【００２１】
これにより、施錠されている複数の収納部について、収納されている物品を、容易にかつ確実に、確認することができる。
【００２２】
また、ここに開示する技術は、物品管理装置と、前記物品管理装置と通信可能である管理コンピュータとを備えた物品管理システムであって、前記物品管理装置は、複数の収納部と、前記複数の収納部にそれぞれ設けられ、信号によって施錠／解錠が制御可能なロック部と、前記複数の収納部に収納された物品について、当該物品に付されたＩＣタグに記録されたデータを読み取り可能なＩＣタグリーダと、前記ＩＣタグリーダの動作、および、前記ロック部の施錠／解錠を含む、前記物品管理装置の動作を制御する制御部とを備え、前記制御部は、前記収納部に収納された物品に付されたＩＣタグに記録されたデータを前記ＩＣタグリーダによって読み取り、読み取り結果を、前記管理コンピュータに送信し、前記管理コンピュータは、前記複数の収納部に収納された物品について、当該物品に付されたＩＣタグの情報を当該収納部と対応づけて登録する物品管理テーブルを格納する記憶部を備え、前記物品管理装置から受信した読み取り結果を、前記物品管理テーブルと照合する。
【００２３】
この構成によると、物品管理装置は、複数の収納部に収納された物品について、当該物品に付されたＩＣタグに記録されたデータを読み取り可能なＩＣタグリーダを備える。制御部は、収納部に収納された物品に付されたＩＣタグに記録されたデータをＩＣタグリーダによって読み取り、読み取り結果を管理コンピュータに送信する。管理コンピュータは、記憶部に、複数の収納部に収納された物品について、当該物品に付されたＩＣタグの情報を当該収納部と対応づけて登録する物品管理テーブルを格納しており、物品管理装置から受信した読み取り結果を、物品管理テーブルと照合する照合処理を行う。これにより、物品が、対応する収納部に正しく収納されていることを、容易にかつ確実に、確認することができる。
【００２４】
また、ここに開示する技術は、物品管理装置において、物品を管理する方法であって、前記物品管理装置は、複数の収納部と、前記複数の収納部にそれぞれ設けられ、信号によって施錠／解錠が制御可能なロック部と、前記複数の収納部に収納された物品について、当該物品に付されたＩＣタグに記録されたデータを読み取り可能なＩＣタグリーダとを備えたものであり、前記収納部に収納された物品に付されたＩＣタグに記録されたデータを、前記ＩＣタグリーダによって読み取り、読み取り結果を、前記複数の収納部に収納された物品について、当該物品に付されたＩＣタグの情報を当該収納部と対応づけて登録する物品管理テーブルと、照合する。
【００２５】
この構成によると、物品管理装置は、複数の収納部に収納された物品について、当該物品に付されたＩＣタグに記録されたデータを読み取り可能なＩＣタグリーダを備える。そして、収納部に収納された物品に付されたＩＣタグに記録されたデータをＩＣタグリーダによって読み取り、読み取り結果を、複数の収納部に収納された物品について、当該物品に付されたＩＣタグの情報を当該収納部と対応づけて登録する物品管理テーブルと、照合する。これにより、物品が、対応する収納部に正しく収納されていることを、容易にかつ確実に、確認することができる。
【発明の効果】
【００２６】
以上説明したように、本開示の物品管理装置によると、コスト高を招くことなく、収納部に収納された物品について容易かつ確実に管理することができる。
【図面の簡単な説明】
【００２７】
【図１】実施形態に係る物品管理装置を含む物品管理システムの構成例
【図２】収納部の構成例
【図３】物品管理装置の機能構成を示すブロック図
【図４】物品管理テーブルに格納されたデータの例であり、（ａ）は登録情報、（ｂ）はログ情報
【図５】実施形態に係る物品管理装置の制御部が実行する処理全体を示すフローチャート
【図６】処理選択画面の例
【図７】登録処理を示すフローチャート
【図８】持ち出し処理を示すフローチャート
【図９】返却処理を示すフローチャート
【図１０】精査処理を示すフローチャート
【図１１】変形例に係る物品管理装置の制御部が実行する処理全体を示すフローチャート
【図１２】解錠処理を示すフローチャート
【図１３】（ａ），（ｂ）は収納部の他の構成例
【発明を実施するための形態】
【００２８】
以下、実施形態を図面に基づいて詳細に説明する。なお、以下の説明は例示である。
【００２９】
（第１実施形態）
図１は実施形態に係る物品管理装置を含む物品管理システムの構成例を示す。図１に示す物品管理システムは、例えば銀行等の金融機関に構築される。
【００３０】
物品管理装置１は、例えば印鑑や各種カード類等の重要物を管理する装置である。物品管理装置１は、物品を収納する複数の収納部１０、表示部および操作部の機能を有するタッチパネル１５、および、ＩＣ（Integrated Circuit）カードのデータを読み取るＩＣリーダ１６を備えている。
【００３１】
図２に示すように、収納部１０は、解錠されると装置前方に引き出せるボックス１１を有する引き出し式である。ボックス１１を施錠／解錠可能なロック部１３が設置されている。ボックス１１の奥側にＩＣタグリーダ（図では単にリーダと記す）１２が設置されている。ＩＣタグリーダ１２は、収納部１０に収納された物品Ｎ１に付されたＩＣタグ（図では単にタグと記す）５０に記録されたデータを、無線経由で読み取ることができる。ＩＣタグ５０には、当該物品Ｎ１を識別するためのＩＤ（Identifier）データを含むデータが記録されている。なお、ＩＣタグリーダ１２およびＩＣタグ５０については、非接触状態でＩＤデータを読み取れるものであればよく、通信方式等は限定されなくてよい。
【００３２】
物品管理装置２は、機密書類等の重要物を管理する装置である。物品管理装置２は、物品を収納する複数の収納部２１、表示部および操作部の機能を有するタッチパネル２５、および、ＩＣカードのデータを読み取るＩＣリーダ２６を備えている。鍵管理装置３は、鍵を管理する装置である。
【００３３】
物品管理装置１，２および鍵管理装置３は、ネットワーク４を介して、例えば金融機関の管理コンピュータ５に接続されている。管理者は、スマートフォン６ａやタブレット６ｂ等の携帯機器を介して、管理コンピュータ５にアクセスすることができる。
【００３４】
本実施形態では、主として、物品管理装置１の構成および動作について説明する。
【００３５】
図３は物品管理装置１の機能構成を示すブロック図である。図３に示すように、物品管理装置１は、物品管理装置１全体の動作を統括制御する制御部６０と、物品管理装置１の動作に関わる各種情報やログ情報等を記憶する記憶部７０とを備えている。制御部６０は例えば、ＣＰＵ、ＲＯＭ、ＲＡＭを備えたコンピュータによって構成されており、ＲＯＭに格納された所定の制御プログラムをＣＰＵが実行することによって、物品管理装置１の動作を制御する。記憶部７０は例えば、フラッシュメモリ等によって構成されている。
【００３６】
各収納部１０は、上述したＩＣタグリーダ１２と、当該収納部１０を施錠／解錠状態にするロック部１３と、当該収納部１０の開閉状態を検知する開閉検知部１４とを、それぞれ備える。ロック部１３は、電子キー機構を有しており、信号によって施錠／解錠が制御可能なように構成されている。制御部６０は電子キー機構を動作させて、ロック部１３の施錠／解錠を制御する。なお、図３では２個の収納部１０を示しているが、他の収納部１０も同様の構成を備えている。
【００３７】
タッチパネル１５は、表示部１５ａおよび操作部１５ｂの機能を有する。タッチパネル１５は、制御部６０による表示制御に従って、物品管理装置１の操作手順や各収納部１０に収納している物品に関する情報、記憶部７０に記憶している各種の情報等を画面上に表示する。またタッチパネル１５は、利用者が表示中の画面上における所定位置に触れる操作を行うと、その操作に応じた操作信号を制御部６０へ出力する。
【００３８】
ＩＣリーダ１６は、操作者が有しているＩＣカードのデータを読み取るのに用いられる。ＩＣリーダ１６はまた、各収納部１０に収納する物品に付されたＩＣタグの読み取りにも、利用される。
【００３９】
印字部１７は、各収納部１０に収納している物品に関する情報、記憶部７０に記憶している各種の情報等を、印刷して出力する。通信部１８は、外部機器例えば管理コンピュータ５との間の通信を行う。
【００４０】
記憶部７０は、本実施形態では、物品管理テーブル７１と、利用者管理テーブル７２とを格納している。物品管理テーブル７１は、各収納部１０に収納された物品の情報を管理するテーブルである。利用者管理テーブル７２は、物品管理装置１を利用する者の情報を管理するテーブルである。
【００４１】
図４は物品管理テーブル７１に格納されたデータの例であって、（ａ）は登録情報、（ｂ）はログ情報である。図４（ａ）の登録情報では、各収納部１０に対応づけて、収納された物品を特定する情報と、利用可能者の情報とが登録されている。物品情報は、当該物品に付されたＩＣタグに記録されたＩＤデータと、物品名称とを含む。利用可能者の情報は、操作者ＩＤを含む。この登録情報は、後述する登録処理において、利用者によって登録される。図４（ｂ）のログ情報では、各収納部１０について、物品の有無と、最新の処理情報とが記録されている。このログ情報は、後述する持ち出し処理や返却処理が実行される際に、更新される。
【００４２】
利用者管理テーブル７２は、物品管理装置１の利用者について、操作者ＩＤ、利用権限などを管理する。
【００４３】
（本実施形態における処理）
図５は本実施形態に係る物品管理装置１の制御部６０が実行する処理全体を示すフローチャートである。本実施形態では、制御部６０は、個別の処理として、「登録処理」「持ち出し処理」「返却処理」「精査処理」を実行する。「登録処理」は、物品を物品管理装置１に最初に入庫する際の登録を行う処理である。「持ち出し処理」は、利用者が物品を物品管理装置１から取り出す際の処理である。「返却処理」は、利用者が物品を物品管理装置１に返却する際の処理である。「精査処理」は、物品管理装置１における物品の保管状況を確認する処理である。
【００４４】
図５に示すように、物品管理装置１に電源が投入されると、制御部６０はタッチパネル１５に待機画面を表示させる（Ｓ１０１）。利用者は待機画面において認証方法を選択する（Ｓ１０２）。認証方法としては例えば、顔認証、ＩＣカード認証、あるいはその両方等がある。認証方法が選択されると（Ｓ１０２でＹＥＳ）、制御部６０は、選択された認証方法によって利用者の認証を行う（Ｓ１０３）。認証できた場合は、ステップＳ１０４にすすむ。
【００４５】
ステップＳ１０４において、制御部６０は、図６に示すような処理選択画面をタッチパネル１５に表示させる。利用者は、処理選択画面において処理の選択を行う（Ｓ１０５）。利用者が「登録」を選択したときは（Ｓ１０６でＹＥＳ）、制御部６０は、登録処理を実行する（Ｓ１０７）。利用者が「持ち出し」を選択したときは（Ｓ１０８でＹＥＳ）、制御部６０は、持ち出し処理を実行する（Ｓ１０９）。利用者が「返却」を選択したときは（Ｓ１１０でＹＥＳ）、制御部６０は、返却処理を実行する（Ｓ１１１）。利用者が「精査」を選択したときは、制御部６０は、精査処理を実行する（Ｓ１１２）。
【００４６】
＜登録処理＞
図７は登録処理を示すフローチャートである。登録処理が開始されると、制御部６０は、物品データ入力を促す表示をタッチパネル１５に表示させる（Ｓ２０１）。利用者は、登録する物品のＩＣタグをＩＣリーダ１６にかざし、ＩＣタグに記録された当該物品のＩＤデータを入力する。このとき、物品のＩＤデータ以外の情報、例えば物品の名称等を、例えばタッチパネル１５を介して、操作者が入力できるようにしてもよい。
【００４７】
物品データ入力を確認した後、制御部６０は、収納部選択表示をタッチパネル１５に表示させる（Ｓ２０２）、利用者は、収納部選択表示において、これから物品を入庫する収納部１０を選択する（Ｓ２０３）。このとき、既に他の物品が登録されている収納部１０は、選択不能とする。
【００４８】
制御部６０は、ＩＣリーダ１６によって取得した物品のデータと、タッチパネル１５から入力された収納部１０のデータを、入力結果表示としてタッチパネル１５に表示させる（Ｓ２０４）。利用者は、入力結果表示を確認し、問題がなければ決定操作を行う（Ｓ２０５）。
【００４９】
制御部６０は、決定操作があったとき（Ｓ２０５でＹＥＳ）、ステップＳ２０３で選択された収納部１０のロック部１３を解錠する（Ｓ２０６）。その後、制御部６０は、当該収納部１０に設置されたＩＣタグリーダ１２からの信号に基づき、物品が当該収納庫１０に収納（入庫）されたことを確認する（Ｓ２０７）。確認した後、制御部６０は、ステップＳ２０６で解錠したロック部１３を施錠する（Ｓ２０８）。
【００５０】
そして制御部６０は、ステップＳ２０４で表示した内容を、物品管理テーブル７１に登録するテーブル更新処理を行う（Ｓ２０９）。図４（ａ）の例では、収納部の番号に対応づけて、物品情報としてＩＤデータおよび物品名称が登録される。また、利用可能者として、今般の登録処理を行った者の操作者ＩＤが登録される。このとき、他の利用可能者を、例えばタッチパネル１５を介して、追加登録できるようにしてもよい。
【００５１】
その後、制御部６０は、処理を継続するか否かを利用者に選択させるための処理継続選択表示をタッチパネル１５に表示させる（Ｓ２１０）。利用者は、タッチパネル１５において、処理を継続するか否かを入力する（Ｓ２１１）。処理を継続する場合はステップＳ２０１に戻り、一方、処理を継続しない場合は、処理を終了する。
【００５２】
＜持ち出し処理＞
図８は持ち出し処理を示すフローチャートである。持ち出し処理が開始されると、制御部６０は、持ち出し可能物品一覧をタッチパネル１５に表示させる（Ｓ３０１）。ここでは、当該操作者が利用可能者として登録されている収納部１０だけが選択可能に表示される。利用者は、タッチパネル１５において持ち出す物品の選択操作を行い（Ｓ３０２）、問題なければ決定操作を行う（Ｓ３０３）。
【００５３】
制御部６０は、ステップＳ３０２で選択された物品が収納されている収納部１０のロック部１３を解錠する（Ｓ３０４）。そして制御部６０は、当該収納部１０に設置されたＩＣタグリーダ１２からの信号に基づき、物品の持ち出しが行われたか否かを確認する（Ｓ３０５）。制御部６０は、物品の持ち出しを確認した後、ステップＳ３０４で解錠したロック部１３を施錠する（ステップＳ３０６）。
【００５４】
そして制御部６０は、物品管理テーブル７１において、物品の持ち出しが行われた収納部１０について、ログ情報を更新する（Ｓ３０７）。図４（ｂ）の例では、当該収納部について、物品の有無は「無し」になり、最新の処理情報として、処理の種類「持ち出し」と、持ち出し処理が行われた日時、持ち出し処理を行った者の操作者ＩＤが、ログ情報として記録される。
【００５５】
その後、制御部６０は、処理を継続するか否かを利用者に選択させるための処理継続選択表示をタッチパネル１５に表示させる（Ｓ３０８）。利用者は、タッチパネル１５において、処理を継続するか否かを入力する（Ｓ３０９）。処理を継続する場合はステップＳ３０１に戻り、一方、処理を継続しない場合は、処理を終了する。
【００５６】
＜返却処理＞
図９は返却処理を示すフローチャートである。返却処理が開始されると、制御部６０は、物品データ入力を促す表示をタッチパネル１５に表示させる（Ｓ４０１）。利用者は、返却する物品のＩＣタグをＩＣリーダ１６にかざし、ＩＣタグに記録された当該物品のＩＤデータを入力する。
【００５７】
物品データ入力を確認した後、制御部６０は、物品管理テーブル７１を参照して、返却すべき収納部１０のデータと、ＩＣリーダ１６によって取得した物品のデータとを、入力結果表示としてタッチパネル１５に表示させる（Ｓ４０２）。その後、利用者は、入力結果表示を確認し、確認操作を行う（Ｓ４０３）
制御部６０は、ステップＳ４０２で表示した収納部１０のロック部１３を解錠する（Ｓ４０４）。そして制御部６０は、ロック部１３を解錠した収納部１０について、利用者によって閉じられたことを開閉検知部１４によって確認し（Ｓ４０５）、解錠したロック部１３を施錠する（Ｓ４０６）。
【００５８】
このとき、制御部６０は、収納部１０に設置されたＩＣタグリーダ１２からの信号に基づき、物品が正しく返却されたことをチェックすることが好ましい。すなわち、制御部６０は、収納部１０に収納された物品に付されたＩＣタグに記録されたデータを、当該収納部１０に設置されたＩＣタグリーダ１２によって読み取る。そして、その読み取り結果を、記憶部７０に格納された物品管理テーブル７１と照合する（照合処理）。
【００５９】
この照合処理は、ステップＳ４０６の施錠処理の前に行ってもよい。この場合には、照合処理の結果、読み取り結果が物品管理テーブル７１と一致したときは、当該収納部１０のロック部１３を施錠する。一方、読み取り結果が物品管理テーブル７１と一致しないときや物品（ＩＣタグ）が検出されないときは、当該収納部１０のロック部１３を解錠状態に維持する。そして、一致しない旨あるいは物品が検出されない旨を、例えば、出力手段の一例であるタッチパネル１５や印字部１７によって、物品管理装置１の外部に出力してもよい。
【００６０】
また、この照合処理は、ステップＳ４０６の施錠処理の後に行ってもよい。この場合には、照合処理の結果、読み取り結果が物品管理テーブル７１と一致したときは、当該収納部１０のロック部１３を施錠状態に維持する。一方、読み取り結果が物品管理テーブル７１と一致しないときや物品（ＩＣタグ）が検出されないときは、当該収納部１０のロック部１３を解錠する。そして、一致しない旨あるいは物品が検出されない旨を、例えば、出力手段の一例であるタッチパネル１５や印字部１７を介して、物品管理装置１の外部に出力してもよい。
【００６１】
そして制御部６０は、物品管理テーブル７１において、物品の返却が行われた収納部１０について、ログ情報を更新する（Ｓ４０７）。図４（ｂ）の例では、当該収納部について、物品の有無は「有り」になり、最新の処理情報として、処理の種類「返却」と、返却が行われた日時、返却処理を行った者の操作者ＩＤが、ログ情報として記録される。
【００６２】
その後、制御部６０は、処理を継続するか否かを利用者に選択させるための処理継続選択表示をタッチパネル１５に表示させる（Ｓ４０８）。利用者は、タッチパネル１５において、処理を継続するか否かを入力する（Ｓ４０９）。処理を継続する場合はステップＳ２０１に戻り、一方、処理を継続しない場合は、処理を終了する。
【００６３】
＜精査処理＞
図１０は精査処理を示すフローチャートである。精査処理は例えば、管理者が締め処理時に物品の返却状況を確認するために実行する。精査処理が開始されると、制御部６０は、全ての収納部１０が閉じられており施錠されていることを確認する（Ｓ５０１）。そして、閉じられていない収納部１０や施錠されていない収納部１０があるときは（Ｓ５０１でＮＯ）、アラームを報知する（Ｓ５０２）。例えば、警告ブザーを鳴らしたり、警告メッセージ（例えば「収納部No.XXを閉じて下さい」）をタッチパネル１５に表示したりする。
【００６４】
全ての収納部１０が閉じられており施錠されていることを確認すると、制御部６０は、全ての収納部１０について、収納されている物品に付されたＩＣタグに記録されたデータをＩＣタグリーダ１２によって読み取る（Ｓ５０３、読み取り処理）。すなわち、本実施形態では、ロック部１３が施錠状態である収納部１０に収納された物品について、当該物品に付されたＩＣタグ５０に記録されたデータを、ＩＣタグリーダ１２によって読み取ることができる。そして読み取った結果から、現在収納されている物品の情報である在庫情報を生成し（Ｓ５０４）、生成した在庫情報を出力する（Ｓ５０５）。出力方法としては、例えば、タッチパネル１５の画面に表示したり、印字部１７によってレポートとして印刷したり、あるいは、通信部１８を介して管理コンピュータ５に送信したりする。
【００６５】
また、制御部６０は、ステップＳ５０３における読み取り結果を、記憶部７０に格納された物品管理テーブル７１と照合してもよい。すなわち、精査処理において、上述した照合処理を、複数の収納部１０についてそれぞれ行うようにしてもよい。そして、読み取り結果が物品管理テーブル７１と一致しない収納部１０があるときは、当該収納部を示すデータを、例えば、出力手段の一例であるタッチパネル１５や印字部１７を介して、物品管理装置１の外部に出力してもよい。
【００６６】
以上のように本実施形態によると、物品管理装置１は、複数の収納部１０に収納された物品について、当該物品に付されたＩＣタグ５０に記録されたデータを読み取り可能なＩＣタグリーダ１２を備える。記憶部７０は、複数の収納部１０に収納された物品について、当該物品を特定する物品情報を当該収納部と対応づけて登録する物品管理テーブル７１を格納する。制御部６０は、照合処理において、収納部１０に収納された物品に付されたＩＣタグに記録されたデータをＩＣタグリーダ１２によって読み取り、読み取り結果を物品管理テーブル７１と照合する。また、制御部６０は、読み取り処理において、ロック部１３が施錠状態である収納部１０に収納された物品について、ＩＣタグに記録されたデータをＩＣタグリーダ１２によって読み取る。これにより、物品が、対応する収納部１０に正しく収納されていることを、容易にかつ確実に、確認することができる。
【００６７】
なお、物品管理テーブル７１に登録された情報を消去して、物品を管理外とする＜登録消去処理＞を実行可能にしてもかまわない。登録消去処理では、例えば、制御部６０は、収納部選択表示をタッチパネル１５に表示させ、利用者は、収納部選択表示において、登録消去の対象とする収納部１０を選択する。制御部６０は、選択された収納部１０について、物品が収納されていない状態であることをＩＣタグリーダ１２によって確認した後、物品管理テーブル７１から登録情報を消去する。以降は、当該収納部１０は、空きであるものとして管理される。
【００６８】
なお、この登録消去処理は、例えば、所定の権限を有する管理者のみが実行可能とすることが好ましい。この場合、操作者が所定の権限を有するか否かの確認は、利用者管理テーブル７２を参照して行えばよい。
【００６９】
また、精査処理は、管理コンピュータ５からのリモート操作によって実行してもよい。この場合は、在庫情報は管理コンピュータ５へ送信されるのが好ましい。ただし、閉じられていない収納部１０や施錠されていない収納部１０があるときは、利用者は、物品管理装置１が設置された場所に向かう必要がある。あるいは、例えばネットワーク４に出納機が接続されている場合に、管理コンピュータ５は、出納機から締め処理実行を示す信号を受信したとき、物品管理装置１の精査処理を実行してもよい。
【００７０】
また、精査処理は、タイマー設定に基づいて実行してもよい。あるいは、物品管理装置１の電源投入時に、精査処理を自動的に実行してもよい。あるいは、非常用キーによる操作や非常時における操作によって、利用者の認証がなされないで収納部１０が開閉されたとき、精査処理を実行してもよい。
【００７１】
（変形例その１）
上述の実施形態では、利用者は、実行する処理として、「登録処理」「持ち出し処理」「返却処理」「精査処理」のいずれかを選択できるものとした。本変形例では、利用者は、「持ち出し処理」および「返却処理」の代わりに、「解錠処理」を選択できるものとする。この「解錠処理」では、制御部６０は、選択された収納部１０の解錠および施錠を行った後に、ＩＣタグリーダ１２による読み取り結果に従って、利用者が「持ち出し処理」を行ったのか、「返却処理」を行ったのか、を判断する。
【００７２】
図１１は本変形例に係る物品管理装置１の制御部６０が実行する処理全体を示すフローチャートである。本実施形態では、制御部６０は、個別の処理として、「登録処理」「解錠処理」「返却処理」を実行する。処理の流れは上述の実施形態と同様であるため、ここではその詳細な説明を省略する。利用者が、処理選択画面において「解錠」を選択したときは（Ｓ１１３でＹＥＳ）、制御部６０は解錠処理を実行する（Ｓ１１４）。
【００７３】
＜解錠処理＞
図１２は解錠処理を示すフローチャートである。解錠処理が開始されると、制御部６０は、解錠可能な収納部１０の一覧をタッチパネル１５に表示させる（Ｓ６０１）。利用者は、タッチパネル１５において、解錠する収納部１０の選択操作を行い（Ｓ６０２）、決定操作を行う（Ｓ６０３）。
【００７４】
制御部６０は、ステップＳ６０２で選択された収納部１０について、ロック部１３の解錠処理を行う（Ｓ６０４）。そして、利用者が物品の返却または持ち出しを行い、収納部１０を閉じたことを確認すると（Ｓ６０５でＹＥＳ）、制御部６０は、その収納部１０について、ＩＣタグリーダ１２によって物品のＩＣタグに記録されたＩＤデータの読み取りを行う（Ｓ６０６）。
【００７５】
このとき制御部６０は、物品管理テーブル７１に格納された当該収納部１０のログ情報と、物品に付されたＩＣタグに記録されたデータの読み取り結果とに基づいて、利用者の処理が「返却」か「持ち出し」かを判定する（Ｓ６０７）。例えば、解錠処理を行う前のログ情報では物品「無し」であり、物品のＩＤデータが読み取れた場合は、物品の返却処理がなされたと判定する。このとき、物品管理テーブル７１との照合を行って、正しい物品が返却されたか否かをチェックし、誤った物品が返却されている場合は報知する。また、解錠処理を行う前は物品「有り」であり、物品のＩＤデータが読み取れなかった場合は、物品の持ち出し処理がなされたと判定する。あるいは、解錠処理を行う前は物品「有り」であり、同じ物品のＩＤデータが読み取れた場合は、物品の持ち出しも返却もなされなかったと判定する。さらに、解錠処理を行う前は物品「無し」であり、物品のＩＤデータが読み取れない場合も、物品の持ち出しも返却もなされなかったと判定する。
【００７６】
制御部６０は、利用者の処理を判定した後、ステップＳ６０４で解錠したロック部１３を施錠する（Ｓ６０８）。そして制御部６０は、物品管理テーブル７１について、今回判定した処理に従って、ログ情報を更新する（Ｓ６０９）。
【００７７】
その後、制御部６０は、処理を継続するか否かを利用者に選択させるための処理継続選択表示をタッチパネル１５に表示させる（Ｓ６１０）。利用者は、タッチパネル１５において、処理を継続するか否かを入力する（Ｓ６１１）。処理を継続する場合はステップＳ６０１に戻り、一方、処理を継続しない場合は、処理を終了する。
【００７８】
（変形例その２）
上述の実施形態では、物品管理装置１において、記憶部７０が物品管理テーブル７１を格納しており、制御部６０が、ＩＣタグリーダ１２による読み取り結果を物品管理テーブル７１と照合する照合処理を行うものとした。本変形例では、管理コンピュータ５が、記憶部に物品管理テーブルを格納しており、照合処理を行うものとする。
【００７９】
例えば、物品管理装置１の制御部６０は、収納部１０に収納された物品に付されたＩＣタグ５０に記録されたデータを、ＩＣタグリーダ１２によって読み取り、この読み取り結果を、通信部１８を介して、管理コンピュータ５に送信する。管理コンピュータ５は、物品管理装置１から読み取り結果を受信し、受信した読み取り結果を、記憶部に格納している物品管理テーブルと照合する。
【００８０】
本変形例によっても、物品管理装置１において、物品が、対応する収納部１０に正しく収納されていることを、容易にかつ確実に、確認することができる。
【００８１】
＜他の構成例１＞
上述の実施形態では、ＩＣタグリーダ１２は、収納部１０の奥側に設置されているものとしたが、ＩＣリーダの設置位置はこれに限られるものではない。例えば、図１３（ａ）に示すＩＣタグリーダ１２Ａのように、収納部１０の天井部分に設けてもよいし、ＩＣタグリーダ１２Ｂのように、収納部１０の底板部分に設けてもよい。
【００８２】
また、上述の実施形態では、１個の収納部１０に１個のＩＣタグリーダ１２が設置されているものとしたが、収納部１０とＩＣタグリーダ１２との対応関係はこれに限られるものではない。例えば、ＩＣリーダの位置をＸＹ方向に移動させる機構を設けて、複数の収納部１０について１個のＩＣタグリーダ１２によって検知を行う構成としてもかまわない。また、一部の収納部１０については、ＩＣタグリーダ１２を設けないものとしてもよい。ＩＣタグリーダ１２が設けられない収納部１０は、管理レベルが低い物品の管理に使用される。
【００８３】
＜他の構成例２＞
上述の実施形態では、収納部１０は引き出し式であるものとしたが、収納部１０の構成はこれに限られるものではない。例えば、扉を開閉する構成であってもよいし、図１３（ｂ）に示すように、収納部のボックス１１Ａ自体が、回動する構成であってもよい。
【００８４】
＜他の構成例３＞
１個の収納部１０について、複数の物品を収納して登録できるようにしてもよい。この場合、ＩＣタグリーダ１２は、読み取りエリア内にある複数個のＩＣタグを読み取り可能とする。
【００８５】
また、一部の収納部について、ＩＣリーダは設置されているが物品情報は登録しないものとしてもよい。この収納部には、例えば管理レベルの低い物品を管理すればよい。ただし、当該収納部に、他の収納部に対応づけて登録された物品が検出された場合には、アラームを報知するようにしてもよい。
【００８６】
＜他の構成例４＞
上述したような構成を、鍵管理装置３に適用してもよい。例えば、鍵を取り付ける鍵ホルダーにＩＣタグを付し、鍵ホルダーの差し込み部分にＩＣリーダを設ければよい。
【００８７】
＜他の実施例＞
本実施例では、鍵管理装置３において、各鍵ホルダーについて、抜かれたときにアラームを発生させるよう設定可能にする。このアラームは、正常な操作の場合であっても発生し、対象の鍵（鍵ホルダー）が抜きとられたことを周囲に報知する。これにより、鍵の不正使用を牽制する効果が得られる。
【００８８】
具体的には例えば、鍵管理装置３において、各鍵ホルダーについて、抜かれたときにアラームを発生させるか否か（アラーム「有り」「無し」）を設定可能にする。そして、アラーム「有り」の場合は、アラームを発生させる時間、アラーム音の種類を設定できるものとする。利用者が、鍵管理装置３から所定の鍵ホルダーを抜いたとき、当該鍵ホルダーについてアラーム「有り」が設定されているときは、設定された時間の間、設定されたアラーム音が発生する。
【００８９】
本実施例は例えば、二者承認運用は困難であるが鍵管理に厳正化を図りたい場合、二者承認を行うほどではないが厳正化を図りたい重要鍵に対する場合、二者承認に加えてより厳正化を図りたい場合、などに有効である。なお、鍵ホルダーのアラーム「有り」「無し」は、管理コンピュータ５において設定し、鍵管理装置３に送信するようにしてもよい。また、本実施例は、物品管理装置１，２に適用してもよい。例えば、重要物品を収納する収納部を開く場合に、アラームを発生させるようにしてもよい。
【符号の説明】
【００９０】
１  物品管理装置
５  管理コンピュータ
１０  収納部
１２  ＩＣタグリーダ
１３  ロック部
１５  タッチパネル（出力手段）
１７  印字部（出力手段）
５０  ＩＣタグ
６０  制御部
７０  記憶部
７１  物品管理テーブル
Ｎ１  物品
【図１】
2020007758.tif 000003
【図２】
2020007758.tif 000004
【図３】
2020007758.tif 000005
【図４】
2020007758.tif 000006
【図５】
2020007758.tif 000007
【図６】
2020007758.tif 000008
【図７】
2020007758.tif 000009
【図８】
2020007758.tif 000010
【図９】
2020007758.tif 000011
【図１０】
2020007758.tif 000012
【図１１】
2020007758.tif 000013
【図１２】
2020007758.tif 000014
【図１３】
2020007758.tif 000015